(57)【特許請求の範囲】
【請求項１】
互いに嵌合可能な掬取部本体及び回動翼を有するヘラ状の掬取部と、該掬取部の一端から延びる握り部とを備え、前記回動翼は、前記握り部の中心軸を中心として回動可能であって、該回動翼と前記掬取部本体とが嵌合して連続した掬い取用の湾曲面を形成する位置と、この位置から９０°回動した位置とで位置決めされることを特徴とした洗米具兼用しゃもじ。
【請求項２】
前記掬取部本体の両側部に貫通窓を穿設し、前記回動翼は前記貫通窓に嵌合可能であることを特徴とした請求項１に記載の洗米具兼用しゃもじ。
【請求項３】
前記回動翼は、前記握り部の基端中央部に挿入されて、前記握り部の中心軸を中心として回動する回動軸に取り付けられ、前記掬取部本体は、前記掬取部の外周囲を取り巻き、両端が前記握り部の基端部両側に挿入されるフレームの内周中央部に、前記握り部の中心軸に沿って前記握り部側に延びる中央帯部を一体に形成して成り、該中央帯部の両側縁と前記フレームとの間にそれぞれ前記貫通窓が形成され、前記中央帯部の先端面中心部が前記回動軸の端面中心部と凹凸係合して回動自在に支持していることを特徴とした請求項２に記載の洗米具兼用しゃもじ。
【請求項４】
前記フレームの両端部が前記回動軸を弾力的に挟持し、前記フレームの両端部において、前記回動軸と接触する面に突条が形成され、前記回動軸の外周面に４本の溝を周方向に等間隔で形成され、前記突条と溝とをクリック係合することにより前記回動翼が位置決めされることを特徴とした請求項３に記載の洗米具兼用しゃもじ。
【請求項５】
前記回動軸の外周面に、前記回動翼が前記貫通窓に嵌合する位置にある時、及び、この位置から前記握り部の中心軸を中心として９０°回動した位置にある時に、前記フレームに当接する回動操作用の突片を形成してあることを特徴とした請求項３又は４に記載の洗米具兼用しゃもじ。
【請求項６】
前記回動翼は前記掬取部本体の外周縁に嵌合可能な環状に形成されていることを特徴とした請求項１に記載の洗米具兼用しゃもじ。
【請求項７】
前記掬取部本体の外周縁頂部に円形の支持穴が形成され、前記回動翼の内周面頂部に、前記支持穴と回動自在に係合する突起が設けられていることを特徴とした請求項６に記載の洗米具兼用しゃもじ。
【請求項８】
前記掬取部本体は円柱状基部を介して前記握り部と一体に設けられ、前記回動翼の基部に、前記掬取部本体の円柱状基部の外周面に回動自在に外嵌される円筒部が設けられ、前記円柱状基部の外周面及び円筒部の内周面のいずれか一方にガイド溝を周方向に沿って形成すると共に、他方に該ガイド溝と摺動自在に係合する摺動突起を設け、前記ガイド溝の両端部に、前記摺動突起とスナップ係合することにより、前記回動翼を、該回動翼と前記掬取部本体とが連続した掬い取用の湾曲面を形成する位置と、この位置から９０°回動した位置とで位置決めする位置決め凹部が形成されていることを特徴とした請求項６又は７に記載の洗米具兼用しゃもじ。
【請求項９】
前記握り部の外面に水量を量る目盛りを表示してあることを特徴とした請求項１〜８のいずれかひとつに記載の洗米具兼用しゃもじ。
【請求項１０】
前記握り部の先端面を基端面よりも面積が大きな立置き平坦面としてあることを特徴とした請求項１〜９のいずれかひとつに記載の洗米具兼用しゃもじ。
【請求項１１】
前記掬取部の表面に多数の付着防止用突起を形成してあることを特徴とした請求項１〜１０のいずれかひとつに記載の洗米具兼用しゃもじ。
【発明の詳細な説明】
【技術分野】
【０００１】
本発明は、ご飯を掬う通常のしゃもじとしての機能と、米を研ぐ機能とを兼ね備えた洗米具兼用しゃもじに関する。
【背景技術】
【０００２】
従来、米を研ぐことも、ご飯を掬うこともできるしゃもじが各種提案されている。
例えば、特許文献１には、へら部に複数の貫通孔を分散して形成し、貫通孔で水の抵抗を減らして、容易にへら部で米を掻き回せるようにしたしゃもじが記載されている。
しかし、このしゃもじは、単に小さい貫通孔を形成した板状のへら部で水に浸した米を掻き回すだけなので、米を効率良く研ぐことができず、ご飯を掬った時に粘着物が貫通孔に入り込むと除去するのが非常に困難である。
また、特許文献２には、握り柄部に水抵抗を減らすための貫通孔を形成した米研ぎしゃもじが記載されている。
このしゃもじも、貫通孔を形成した握り柄部で米を掻き回すだけなので米研ぎの効率が悪く、貫通孔に米粉が詰まると除去し難い。また、米を研ぐ際には、ご飯を掬うのに用いるへら部を握るため、衛生的でない。
【先行技術文献】
【特許文献】
【０００３】
【特許文献１】特開２００１-３４０２４１号公報
【特許文献２】実用新案登録第３１６９８８８号公報
【発明の概要】
【発明が解決しようとする課題】
【０００４】
本発明が解決しようとする課題は、水に手をつけることなく米を研ぐことができ、ご飯を掬う際も、米を研ぐ際も効率が良く、洗浄が簡単で衛生的な洗米具兼用しゃもじを提供することにある。
【課題を解決するための手段】
【０００５】
本発明の洗米具兼用しゃもじは、互いに嵌合可能な掬取部本体及び回動翼を有するヘラ状の掬取部と、該掬取部の一端から延びる握り部とを備え、前記回動翼は、前記握り部の中心軸を中心として回動可能であって、該回動翼と前記掬取部本体とが嵌合して連続した掬い取用の湾曲面を形成する位置と、この位置から９０°回動した位置とで位置決めされる。
【０００６】
前記掬取部本体の両側部に貫通窓を穿設し、前記回動翼を前記貫通窓に嵌合可能とすることがある。
この時、前記回動翼が、前記握り部の基端中央部に挿入されて、前記握り部の中心軸を中心として回動する回動軸に取り付けられ、前記掬取部本体は、前記掬取部の外周囲を取り巻き、両端が前記握り部の基端部両側に挿入されるフレームの内周中央部に、前記握り部の中心軸に沿って前記握り部側に延びる中央帯部を一体に形成して成り、該中央帯部の両側縁と前記フレームとの間にそれぞれ前記貫通窓が形成され、前記中央帯部の先端面中心部が前記回動軸の端面中心部と凹凸係合して回動自在に支持してもよい。
【０００７】
さらに、前記フレームの両端部で前記回動軸を弾力的に挟持し、前記フレームの両端部において、前記回動軸と接触する面に突条を形成し、前記回動軸の外周面に４本の溝を周方向に等間隔で形成し、前記突条と溝とをクリック係合することにより前記回動翼を位置決めしてもよい。
前記回動軸の外周面に、前記回動翼が前記貫通窓に嵌合する位置にある時、及び、この位置から前記握り部の中心軸を中心として９０°回動した位置にある時に前記フレームに当接する回動操作用の突片を形成するのが望ましい。
【０００８】
或いは、前記回動翼が前記掬取部本体の外周縁に嵌合可能な環状に形成されることもある。
この時、前記掬取部本体の外周縁頂部に円形の支持穴を形成し、前記回動翼の内周面頂部に、前記支持穴と回動自在に係合する突起を設けるのが望ましい。
前記掬取部本体は円柱状基部を介して前記握り部と一体に設けられ、前記回動翼の基部に、前記掬取部本体の円柱状基部の外周面に回動自在に外嵌される円筒部が設けられ、前記円柱状基部の外周面及び前記円筒部の内周面のいずれか一方にガイド溝を周方向に沿って形成すると共に、他方に該ガイド溝と摺動自在に係合する摺動突起を設け、前記ガイド溝の両端部に、前記摺動突起とスナップ係合することにより、前記回動翼を、該回動翼と前記掬取部本体とが連続した掬い取用の湾曲面を形成する位置と、この位置から９０°回動した位置とで位置決めする位置決め凹部が形成されることがある。
【０００９】
前記握り部の外面に水量を量る目盛りを表示するとよい。
前記握り部の先端面を基端面よりも面積が大きな立置き平坦面としてもよい。
前記掬取部の表面に多数の付着防止用突起を形成することもある。
【発明の効果】
【００１０】
本発明によれば、回動翼と掬取部本体とが連続した湾曲面を形成した位置で回動翼を位置決めすると、通常のしゃもじと同様に掬取部でご飯を掬うことができ、この位置から回動翼を９０°回動させて位置決めすると、回動翼と掬取部本体とが断面十文字状に交差するため、手を冷たい水につけることなく、掬取部で撹拌するだけで効率良く米を研ぐことができる。
また、従来の米研ぎ具兼用のシャモジのように、米を掻き回す部分及びご飯を掬う部分に小さい孔を形成していないので、米の粉やご飯の粘りが詰まることが無く、回動翼を掬取部本体と嵌合した位置から回動させると、回動翼及び掬取部本体の周面を簡単に洗浄できる。
【図面の簡単な説明】
【００１１】
【図１】本発明の実施例１を示す洗米具兼用しゃもじの正面図。
【図２】本発明の実施例１を示す洗米具兼用しゃもじの側面図。
【図３】本発明の実施例１を示す洗米具兼用しゃもじの洗米具として使用する場合の正面図。
【図４】本発明の実施例１を示す洗米具兼用しゃもじの洗米具として使用する場合の側面図。
【図５】本発明の実施例１を示す洗米具兼用しゃもじの分解正面図。
【図６】本発明の実施例１を示す洗米具兼用しゃもじの分解側面図。
【図７】本発明の実施例１に係る握り部の基端側の端面図。
【図８】本発明の実施例１に係る握り部の先端側の端面図。
【図９】本発明の実施例２を示す洗米具兼用しゃもじの分解正面図。
【図１０】本発明の実施例２を示す洗米具兼用しゃもじの要部断面図。
【図１１】本発明の実施例２を示す洗米具兼用しゃもじのしゃもじとして使用する場合の正面図。
【図１２】本発明の実施例２を示す洗米具兼用しゃもじの洗米具として使用する場合の正面図。
【発明を実施するための形態】
【００１２】
以下、本発明の実施例を図面に基づいて詳細に説明する。
図１〜図８は、本発明の実施例１を示す。
実施例１の洗米具兼用しゃもじは、粘着物質が付着し難いシリコン樹脂等の合成樹脂を素材とし、図１及び図２に示すように、ヘラ状の掬取部１と、掬取部１の一端から延びる握り部２とを備える。なお、以下の説明では、便宜上、握り部２の中心軸に沿う方向を縦方向とする。
【００１３】
掬取部１は、図５及び図６に示すように、掬取部本体３及び回動翼４を有する。
掬取部本体３は、掬取部１の外周囲を取り巻き、両端が握り部２の基端部両側に挿入されるフレーム５と、フレーム５の内周中央部から握り部２側に、握り部２の中心軸に沿って延びる中央帯部６とを一体に形成して成る。そして、中央帯部６の両側縁とフレーム５との間には、それぞれ縦長の貫通窓７が形成される。
フレーム５の両端部は、握り部２の基端部両側に挿入するための細径部８となっており、フレーム５の両端部の対向する面には縦長の突条９がそれぞれ形成されている。
また、中央帯部６の先端面中心部には、断面円形の突軸１０が設けられる。中央帯部６の先端部両面は、後述する回動軸１１の径と同じ厚みになるようになだらかに隆起している。
【００１４】
回動翼４は、掬取部本体３の貫通窓７に嵌合可能で、貫通窓７に嵌合した時、回動翼４と掬取部本体３とが連続した掬い取用の湾曲面を形成する形状となっている。
また、回動翼４は、握り部２の基端中央部に挿入されて、握り部２の中心軸を中心として回動する回動軸１１の両側部に一体に取り付けられる。従って、貫通窓７に嵌合した回動翼４は、回動軸１１を回動することにより貫通窓７から脱出する。
回動軸１１の握り部２から露出した側の端面中心部には断面円形の凹部１４が形成され、凹部１４と中央帯部６の突軸１０を係合することにより、回動軸１１が中央帯部６の先端面に回動自在に支持される。
【００１５】
回動軸１１はフレーム５の両端部で弾力的に挟持され、回転軸１１の外周面には、４本の縦長の溝１２が周方向に等間隔で形成されている。そして、回動軸１１を回動させ、フレーム５の突条９と回動軸１１の溝１２とをクリック係合することにより、回動翼４が、貫通窓７に嵌合した位置と、この位置から握り部２の中心軸を中心として９０°回動した位置で位置決めされる。
回動軸１１の外周面には一対の回動操作用の突片１３が設けられる。この突片１３は、回動翼４が貫通窓７に嵌合する位置にある時、及び、この位置から９０°回動した位置にある時に、フレーム５に当接してそれ以上の回動を規制する。
【００１６】
握り部２は基端部から先端部に向かって次第に太くなっており、握り部２の基端部には、図７に示すように、回動軸１１を挿入するための円形穴１５が形成されると共に、円形穴１５の両側に連続してフレーム５の細径部８を挿入するための細穴１６が形成される。
また、図８に示すように、握り部２の先端側の端面は基端面よりも面積が大きな立置き平坦面１７となっており、洗米具兼用しゃもじを立てて置くことができるようになっている。
なお、握り部２の外面には、図１及び図３に示すように、水量を量るための目盛り１８が表示されている。このため、握り部２の先端面を研いだ米の表面に当てて水面を目盛り１８のいずれかに合わせると、炊飯後の米の硬さを好みに応じて調整できる。
【００１７】
掬取部１と握り部２を組み付けるには、まず、フレーム５の両端部で回動軸１１を挟み、回動軸１１の凹部１４に中央帯部６の突軸１０を係合して、回動翼４と掬取部本体３とを組み立てる。
次に、フレーム５の両端部に形成した細径部８を握り部２の細穴１６に挿入すると共に、回動軸１１の回動翼４及び突片１３が形成されていない端部を握り部２の円形穴１５に挿入する。そして、フレーム５の細径部８を溶着、接着等の適宜手段により握り部２に固定する。
【００１８】
図１及び図２に示すように、回動翼４が貫通窓７に嵌合して、突片１３がフレーム５の一端側に当接している時は、回動翼４と掬取部本体３とが連続した掬い取用の湾曲面を形成し、フレーム５の突条９と回動軸１１の対向する位置に形成された一対の溝１２とが係合して、回動翼４がその位置で位置決めされるので、掬取部１でご飯を掬うしゃもじとして用いることができる。
【００１９】
突片１３を指で押して、図３及び図４に示すように、突片１３がフレーム５の他端側に当接するまで回動軸１１を回動させると、即ち、回動軸１１及び回動翼４を９０°回動させると、回動翼４が貫通窓７から脱出して回動翼４と掬取部本体３が断面十文字状となるよう交差し、フレーム５の突条９と回動軸１１の他対の溝１２とが係合して、回動翼４がその位置で位置決めされる。このように掬取部１は撹拌効率の良い十文字状となり、開口した貫通窓７によって水の抵抗も低減されるため、掬取部１で米を研ぐ洗米具として用いることができる。
【００２０】
図９〜図１２は、本発明の実施例２を示す。
握り部２は、回動翼４を挿入するための円形穴１５及び掬取部本体３を挿入するための細穴１６を備えていないが、その他の構造は実施例１のものとほぼ同様である。
掬取部本体３は、図９に示すように、掬取部１全体の大きさよりも一回り小さいヘラ状であって、円柱状基部１９を介して握り部２の基端部に一体に設けられている。円柱状基部１９の外周面の一側には周方向に沿ってガイド溝２０が形成され、ガイド溝２０の両端部には、いったん溝幅を狭めてから位置決め凹部２１が形成されている。
また、掬取部本体３の外周縁頂部（握り部２の中心軸上）には円形の支持穴２２が形成されている。
【００２１】
回動翼４は、掬取部本体３の外周縁に嵌合可能な環状に形成され、回動翼４の内周面頂部に、掬取部本体３の支持穴２２と回動自在に係合する断面円形の突起２３が設けられている。
回動翼４の基部には、掬取部本体３の円柱状基部１９の外周面に回動自在に外嵌される円筒部２４が設けられる。円筒部２４は、断面半円形の一対の半割り部材２４ａ，２４ｂとして形成され、半割り部材２４ａ，２４ｂを掬取部本体３の円柱状基部１９の外側から被せ、その両端面を突き合わせて溶着或いは接着することにより、円柱状基部１９の外周面に嵌合された円筒部２４となる。
図９及び図１０に示すように、円筒部２４の内周面には、円柱状基部１９のガイド溝２０と摺動自在に係合する摺動突起２５が形成される。
【００２２】
円筒部２４を手で持って円柱状基部１９に対して回動させると、摺動突起２５がガイド溝２０に沿って摺動すると共に、回動翼４が握り部２の中心軸を中心として回動する。この時、回動翼４及び掬取部本体３の頂部は、握り部２の中心軸上にある支持穴２２と突起２３を介して回動自在に係合されているので、回動翼４は先端部が位置ずれすることなく安定して回動する。  
そして、摺動突起２５がガイド溝２０の一端に達して一方の位置決め凹部２１にスナップ係合すると、図１１に示すように、回動翼４が前記掬取部本体３の外周縁に嵌合して、回動翼４と掬取部本体３とが連続した掬い取用の湾曲面を形成し、回動翼４がその位置で位置決めされる。この状態で、実施例２の洗米具兼用しゃもじは、掬取部１でご飯を掬うしゃもじとして用いることができる。
【００２３】
この位置から円筒部２４を強制的に逆方向へ回動させると、摺動突起２５が一方の位置決め凹部２１から脱出してガイド溝２０に沿って摺動し、回動翼４も握り部２の中心軸を中心として逆方向に回動する。摺動突起２５がガイド溝２０の他端に達して他方の位置決め凹部２１にスナップ係合すると、図１２に示すように、回動翼４と掬取部本体３が断面十文字状となるよう交差し、回動翼４はその位置で位置決めされる。
この状態では、掬取部１が十文字状となり、回動翼４の中央部が開口して水の抵抗が低減されるため、掬取部１で米を研ぐ洗米具として用いることができる。
なお、実施例１及び実施例２において、ご飯を掬った時にご飯粒が付着し難いよう、掬取部１（回動翼４及び掬取部本体３）のヘラ状部分の表面に多数の付着防止用突起を形成することもできる。
【符号の説明】
【００２４】
１    掬取部
２    握り部
３    掬取部本体
４    回動翼
５    フレーム
６    中央帯部
７    貫通窓
８    細径部
９    突条
１０  突軸
１１  回動軸
１２  溝
１３  突片
１４  凹部
１５  円形穴
１６  細穴
１７  立置き平坦面
１８  目盛り
１９  円柱状基部
２０  ガイド溝
２１  位置決め凹部
２２  支持穴
２３  突起
２４  円筒部
２４ａ，２４ｂ  半割り部材
２５  摺動突起
【要約】
【課題】水に手をつけることなく米を研ぐことができ、ご飯を掬う際も、米を研ぐ際も効率が良く、洗浄が簡単で衛生的な洗米具兼用しゃもじを提供すること。
【解決手段】互いに嵌合可能な掬取部本体３及び回動翼４を有するヘラ状の掬取部１と、掬取部１の一端から延びる握り部２とを備え、回動翼４は、握り部２の中心軸を中心として回動可能であって、回動翼４と掬取部本体３とが嵌合して連続した掬い取用の湾曲面を形成する位置と、この位置から９０°回動した位置とで位置決めされる。
【選択図】図１【図１】
0005276729.tif 000002
【図２】
0005276729.tif 000003
【図３】
0005276729.tif 000004
【図４】
0005276729.tif 000005
【図５】
0005276729.tif 000006
【図６】
0005276729.tif 000007
【図７】
0005276729.tif 000008
【図８】
0005276729.tif 000009
【図９】
0005276729.tif 000010
【図１０】
0005276729.tif 000011
【図１１】
0005276729.tif 000012
【図１２】
0005276729.tif 000013